(57)【要約】      （修正有）【課題】目地に生セメントを詰める際、生セメントを目地に押し込む圧力を加えられ生セメントを押し込む角度も自由に変えられる小回りが利く装置を提供する。【解決手段】バッテリー３、モーター５駆動のスクリュー８を内蔵し、ノズル１３の先が回転自由なケース６のスクリュー８上方に生セメント流入口１０を具備する。モーター駆動スイッチ２、ノズル１３、握り部分１を具備する別の筒をフレキシブルチューブ１６でスクリュー８、生セメント流入口１０、モーター５を具備する円筒ケース１５に接続することにより、生セメント貯留場所１１から遠隔で目地モルタル注入作業のできる装置。ドリルドライバーのモーターケース外表面を円筒形にし、雄ねじ、又はリブをたて、片側内面に雌ねじの切ってあり、スクリュー８に接続されたカップリング継ぎ手２４を内蔵する円筒ケース１５にねじ込む事により目地モルタル注入装置とする。【選択図】図１
2012082671.tif 000002
【特許請求の範囲】
【請求項１】
片手で握れる太さの握り部分の人指し指の近傍に指で引くことの出来るスイッチを配置し、上述の握り部分の下方のケース内にバッテリーを内蔵し、握り部分の上方のケース内にモーターを内蔵し、そのケースがモーター軸方向前方の円筒ケースに接続され、円筒ケースにスクリューを内蔵し、スクリューが前述のモーターの回転により回転し、スクリュー上方の生セメント流入口から入ってくる生セメントをスクリュー軸前方に押し出し、上述の円筒ケースの先に接続された筒の周方向に回転可能なノズルから生セメントを押し出す目地モルタル注入装置。
【請求項２】
モーター回転軸に接続されたスクリューとスクリューケースとしての円筒ケースが生セメント貯留ケースに具備され、生セメント貯留ケースから開口部を経由し、生セメントをスクリューの回転により上述の円筒ケースと更に先に接続されているフレキシブルチューブを経由して、握り部分とモーター駆動スイッチを具備する別の円筒に押し出され、その円筒の先に筒の周方向に回転可能なノズルが接続されており、上述のモーター駆動スイッチによりモーター、及びスクリューが回転しノズルから生セメントが押し出せる目地モルタル注入装置。
【請求項３】
片手で握れる太さの握り部分の人指し指の近傍に指で引くことの出来るスイッチを配置し、前述の握り部分の下方の下方ケース内にバッテリーを内蔵し、握り部分の上方の上方ケース内にモーターを内蔵し、モーター前方にモーター軸がカップリング継ぎ手の片方をはさむことの出来るチャックに接続され、モーターを包むケース前方の円筒状外表面に雄ねじ、又はリブが付いているドリルドライバー組立が、もう片方のカップリング継ぎ手とスクリューの接続されたものとスクリュー上方に生セメントが流入する流入口とノズルを具備するスクリューケースの片方内面に目ねじ、又はリブが付いているスクリュー付きノズル組み立てに回転嵌め合いで固定されると同時に上述の両カップリング継ぎ手も繋がれ、モーター回転をスクリュー回転に伝達し生セメントを押し出せる目地モルタル注入装置。
【発明の詳細な説明】
【技術分野】
【０００１】この発明はコンクリート材の敷設、或いはコンクリート打ち込み工事において一定の狭い間隔を設け、コンクリート材を接続、或いは固定するための目地に生コンクリートを流し押し込むための注入装置に関するものである。
【背景技術】
【０００２】コンクリート材の敷設、或いはコンクリート打ち込み工事において一般に一定の狭い間隔の目地を設け、恒久的にコンクリート材を接続、或いは固定するため目地に生コンクリートを押し込む。この際使用される道具としては従来より一般に鏝が用いられてきた。
しかし、目地が一般に狭いため目地にセメントを入れやすくするため細長い開口のノズルを先端に具備する筒の中に生セメントを詰め込み目地に流し込む方法もとられる例もあった。
【発明の開示】
【発明が解決しようとする課題】
【０００４】目地に生セメントを詰める方法として、鏝で押し込んだり、或いはノズルで流し込んだりする方法では目地の奥まで生セメントを押し込むことが難しく、目地の奥に空洞が出来やすく、目地によるコンクリートの固定、強度が不安定な場合が多く見られたため、生セメントに圧力がかけられる装置の開発が課題であった。
目地に生セメントを詰める必要のある場所はいろんな場所が考えられ、生セメントに圧力を加える装置を考案するに当っても、生セメントを押し込む角度も自由に変えられる小回りが利く装置である事も必要な課題であった。
【課題を解決する為の手段】
【０００５】上述課題を解決するためになされた本願請求項１の発明は、片手で握れる太さの握り部分の人指し指の近傍に指で引くことの出来るスイッチを配置し、上述の握り部分の下方のケース内にバッテリーを内蔵し、握り部分の上方のケース内にモーターを内蔵し、そのケースがモーター回転軸方向前方に円筒のケースに接続され、円筒内にスクリューを具備し、スクリューが前述のモーターの回転により回転し、スクリュー上方の生セメント流入口から入ってくる生セメントをスクリュー軸前方方向に押し、前述の円筒のケースの先に接続された筒の周方向に回転可能なノズルから生セメントを押し出す装置である事を要旨としている。
【０００６】本願請求項２の発明は、モーター回転軸に接続されたスクリューとスクリューケースとしての円筒ケースが生セメント貯留ケースに具備され、円筒ケース開口部を経由し、生セメントをスクリューの回転により上述の円筒ケースと更に先に接続されているフレキシブルチューブに送り、握り部分とモーター駆動スイッチを具備する別の円筒に押し出され、その円筒の先に筒の周方向に回転可能なノズルが接続されており、上述のモーター駆動スイッチによりモーター、及びスクリューが回転しノズルから生セメントが押し出せる目地モルタル注入装置である事を要旨としている。
【０００７】本願請求項３の発明は、片手で握れる太さの握り部分の人指し指の近傍に指で引くことの出来るスイッチを配置し、前述の握り部分の下方の下方ケース内にバッテリーを内蔵し、握り部分の上方の上方ケース内にモーターを内蔵し、モーター前方にモーター軸がカップリング継ぎ手の片方をはさむことの出来るチャックに接続され、モーターを包むケース前方の円筒状外表面に雄ねじ、又はリブが付いているドリルドライバー組立が、もう片方のカップリング継ぎ手とスクリューの接続されたものとスクリュー上方に生セメントが流入する流入口とノズルを具備するスクリューケースの片方内面に雌ねじ、又はリブが付いているスクリュー付きノズル組み立てに回転嵌め合いで固定されると同時に上述の両カップリング継ぎ手も繋がれ、モーター回転をスクリュー回転に伝達し生セメントを押し出せる目地モルタル注入装置である事を要旨としている。
【発明の効果】
本発明に係わる目地モルタル注入装置によれば、生セメントに目地に押し込む圧力を加えることがでるため目地の奥に生セメントが行き渡らない箇所がなくなり、或いはすこぶる減少する。
更に本発明の装置の形体では片手で生セメント押し込みのスクリュー回転モーターの駆動、停止が装置を握りながら人差し指で操作可能で、しかも装置が片手で保持できるため狭い場所でも生セメント押し出しの方向も自由にコントロールでき、目地セメント詰め込み作業が短時間で効率よく出来る。
又、本発明を請求項３の形体をとれば上述のドリルドライバー組立の筒から先を外し、チャックで挟み込んだカップリングの代わりにドライバー、又はドリルの刃をチャックで挟めばドリルドライバーとしても使えるマルチ機能装置とすることができる。
【発明を実施するための最良の形態】
【実施例】
【０００８】本発明に係わる目地モルタル注入装置の実施形体について添付図面に基づき説明する。【０００９】本発明の請求項１の装置の一つの例の構成について、図１を用いて説明する。片手で握れる太さの握り部分１の人指し指の近傍に指で引くことの出来るスイッチノブ２を配置し、前述の握り部分１の下方の下方ケース４内にバッテリー３を内蔵し、握り部分の上方の上方ケース６内にモーター５を内蔵し、その上方ケース６がモーター５の回転軸方向前方の円筒ケース１５に接続され、円筒ケース１５内にスクリュー軸９に巻かれたスクリューブレード８を具備し、スクリューブレード８がモーター５の回転により仕切り板１２を貫通しているモーター軸７及びスクリュー軸９を介し回転し、生セメント貯留ケース１１からスクリューブレード８上方に配置されている生セメント流入口１０を経由し、生セメントをスクリュー軸９前方に押し出し、円筒ケース１５の先に接続された回転スライド部１４を介し接続されているノズル１３から生セメントを押し出す構造になっている。【００１０】本発明の請求項２の装置の一つの例の構成について、図２を用いて説明する。モーター５に接続されたスクリュー軸９に巻かれたスクリューブレード８を包む円筒ケース１５が生セメント貯留ケース１１に具備され、生セメント流入口１０を経由し、スクリューブレード８の回転により生セメントを生セメント貯留ケース１１から円筒ケース１５の先に接続されているフレキシブルチューブ１６を経由し、握り部分１とスイッチノブ２を具備する生セメント受筒１９に押し出され、更に生セメント受筒１９の先に筒の周方向に回転可能にする回転スライド部１４を介しノズル１３に接続されるため、ノズル１３から生セメントを出すことが出来る。モーター５の運転制御はスイッチノブ２を引くことにより信号が配線回路１７を経由し、電源１８をモーター５に送るようになっている。
即ち、請求項２の発明は請求項１の機能を生セメント貯留ケース１１と離れた場所で発揮できる目地モルタル注入装置となっている。【００１１】本発明の請求項３の装置の一つの例の構成について、図３、及び図４を用いて説明する。図３の雄ねじ、カップリング継ぎ手付ドリルドライバー組立に示されている片手で握れる太さの握り部分１の人指し指の近傍に指で引くことの出来るスイッチノブ２を配置し、握り部分１の下方の下方ケース４内にバッテリーを内蔵し、握り部分の上方の前方外表面が巴筒で雄ねじ２０が切ってある上方ケース６内にモーターを内蔵し、モーター軸前方に金属棒をはさむことの出来るチャック２１に接続され、チャック２１にカップリング継ぎ手Ａ２２を挟み込むドリルドライバー組立がある。
一方、図４に示されているノズル付きスクリュー組立は、もう片方のカップリング継ぎ手Ｂ２４が円筒ケース１５内のスクリュー軸９の先に取り付けられ、円筒ケース１５の片方の端部内面に切ってある雌ねじ２３と図３で既に説明したドリルドライバー組立の雄ねじ２０が回転による嵌め合いで固定されると同時に、カップリング継ぎ手Ａ２２とカップリング継ぎ手Ｂ２４も繋がれ、モーター回転をスクリュー回転に伝達できる生セメントを押し出せる目地モルタル注入装置となっている。
【産業上利用の可能性】
【００１１】自明ゆえ、説明は省略する。
【図面の簡単な説明】
【００１２】
【図１】本願請求項１の発明の目地モルタル注入装置の部品構成を示す断面図である。
【図２】本願請求項２の発明の目地モルタル注入装置の部品構成を示す断面図である。
【図３】本願請求項３の発明の目地モルタル注入装置の構成部品組立の雄ねじ、カップリング継ぎ手付ドリルドライバー組立の側面図である。
【図４】本願請求項３の発明の目地モルタル注入装置のノズル付スクリュー組立の断面図である。
【符号の説明】
【００１３】１．  握り部分
２．  スイッチノブ
３．  バッテリー
４．  下方ケース
５．  モーター
６．  上方ケース
７．  モーター軸
８．  スクリューブレード
９．  スクリュー軸
１０．生セメント流入口
１１．生セメント貯留ケース
１２．仕切板
１３．ノズル
１４．回転スライド部
１５．円筒ケース
１６．フレキシブルチューブ
１７．制御配線
１８．電源
１９．生セメント受け筒
２０．雄ねじ
２１．チャック
２２．カップリング継ぎ手Ａ
２３．雌ねじ
２４．カップリング継ぎ手Ｂ
【図１】
2012082671.tif 000003
【図２】
2012082671.tif 000004
【図３】
2012082671.tif 000005
【図４】
2012082671.tif 000006